(57)【要約】【課題】間違いなく行先階を呼び登録できるとともにエレベータの運行効率の悪化を抑えるエレベータ呼び登録装置を得る。【解決手段】エレベータ呼び登録装置は、点字が一対一で付属されている押釦が押されたとき行先呼び登録またはカゴ呼び登録を行うエレベータ呼び登録装置において、最初に上記押釦が押されたときに上記押釦が示す内容をアナウンスするとともに再度上記押釦を押すようにアナウンスし、再度同じ上記押釦が押されたとき行先呼び登録またはカゴ呼び登録を行う。【選択図】図２
2011213442.tif 000002
【特許請求の範囲】
【請求項１】
点字が一対一で付属されている押釦が押されたとき行先呼び登録またはカゴ呼び登録を行うエレベータ呼び登録装置において、
最初に上記押釦が押されたときに上記押釦が示す内容をアナウンスするとともに再度上記押釦を押すようにアナウンスし、
再度同じ上記押釦が押されたとき行先呼び登録またはカゴ呼び登録を行うことを特徴とするエレベータ呼び登録装置。
【請求項２】
上記行先呼び登録または上記カゴ呼び登録された階にカゴが到着したとき扉の開閉を身障者対応で行うことを特徴とする請求項１に記載のエレベータ呼び登録装置。
【請求項３】
再度上記同じ押釦が長く押されたとき健常者用の行先呼び登録またはカゴ呼び登録を行うことを特徴とする請求項１に記載のエレベータ呼び登録装置。
【発明の詳細な説明】
【技術分野】
【０００１】
この発明は、エレベータの呼び登録を行うエレベータ呼び登録装置に関し、特に視覚障害者専用の押し釦が設けられるエレベータ呼び登録装置に関するものである。
【背景技術】
【０００２】
視覚障害者がエレベータを使用する際、点字や名盤などを確認し、釦を押下して呼び登録している。しかし、所望の行先階の釦を押したのか確認できないし、間違った釦を押してしまい運行効率が低下するという課題があった。
そこで、エレベータかごの行先階呼びを登録する操作盤に、視覚障害者用専用行先階呼び登録ボタンに視覚障害者用行先階呼び登録ボタンを設けると共に、操作盤の近傍にエレベータかごが停止可能な階床名を報知する音声案内装置を備え、視覚障害者用行先階登録ボタンが押されたとき、かごが停止可能な階床名の音声による報知を開始し、その報知の過程で視覚障害者が利用しようとする目的階が報知されたとき、視覚障害者用行先階呼び登録ボタンを再度押すことにより、音声により報知された階床名をエレベータかごの行先階呼びとして登録するものである（例えば、特許文献１参照）。
【先行技術文献】
【特許文献】
【０００３】
【特許文献１】特開２００６−１８８３４３号公報
【発明の概要】
【発明が解決しようとする課題】
【０００４】
上述のエレベータの呼び登録装置では、かご操作盤に設けられた視覚障害者用行先階呼び登録ボタンを押すと、かご操作盤の近傍に設けられた音声案内装置用スピーカーよりエレベータかごが停止可能な階床名の報知が開始される。かご内のエレベータ利用者は、停止階床名の報知を聞き、目的とする階床名が報知されたかを判断する。もし、目的とする階床名でなければ、そのまま何も行わず所定時間経過すると、次階の停止階床名がセットされ、次の停止可能な階床名が報知される。
しかし、停止可能な階床名が順次報知されるので、階床数が多いエレベータでは呼び登録に時間が掛かり、運行効率が悪いという問題がある。
【０００５】
この発明は、前記のような課題を解決するためになされたものであり、間違いなく行先階を呼び登録できるとともにエレベータの運行効率の悪化を抑えるエレベータ呼び登録装置を得ることを目的とする。
【課題を解決するための手段】
【０００６】
この発明に係るエレベータ呼び登録装置は、点字が一対一で付属されている押釦が押されたとき行先呼び登録またはカゴ呼び登録を行うエレベータ呼び登録装置において、最初に上記押釦が押されたときに上記押釦が示す内容をアナウンスするとともに再度上記押釦を押すようにアナウンスし、再度同じ上記押釦が押されたとき行先呼び登録またはカゴ呼び登録を行う。
【発明の効果】
【０００７】
この発明に係るエレベータ呼び登録装置は、視覚障害者が身障者用カゴ操作盤から行先呼び登録を行うときに点字を手がかりに押釦を探すので間違った押釦を押す可能性もあるが、押された押釦がいずれの釦であったか音声によりアナウンスされるので、押した押釦を確認してから再度押すことにより間違いなく行先呼び登録をすることができる。
【図面の簡単な説明】
【０００８】
【図１】この発明の実施の形態１に係るエレベータの構成図である。
【図２】この発明の実施の形態１に係るエレベータ呼び登録装置のブロック図である。
【図３】身障者用カゴ操作盤の平面図である。
【図４】この発明の実施の形態２に係るエレベータ呼び登録装置のブロック図である。
【図５】身障者用乗場操作盤の平面図である。
【図６】この発明の実施の形態３に係るエレベータ呼び登録装置のブロック図である。
【発明を実施するための形態】
【０００９】
以下、本発明のエレベータ呼び登録装置の好適な実施の形態につき図面を用いて説明する。
実施の形態１．
図１は、この発明の実施の形態１に係るエレベータの構成図である。図２は、この発明の実施の形態１に係るエレベータ呼び登録装置のブロック図である。図３は、身障者用カゴ操作盤の平面図である。
この発明の実施の形態１に係るエレベータは、図１に示すように、昇降路２内を昇降するカゴ３と、カゴ３の扉を開閉する扉開閉装置４と、カゴ３を吊すロープ５と、ロープ５を走行する巻上げ機６と、エレベータを制御するエレベータ制御盤７と、を備える。
【００１０】
この発明の実施の形態１に係るエレベータ呼び登録装置は、図２に示すように、エレベータのカゴ３内に備えられる身障者用カゴ操作盤１１と、身障者用カゴ操作盤１１の操作内容に従ってカゴ３の行先の呼び登録を実行する身障者行先呼び登録手段１２と、身障者行先呼び登録手段１２から制御されるスピーカー１３と、身障者用カゴ操作盤１１から行先呼び登録されたときカゴ３の扉を開閉する扉開閉手段１４と、を備える。尚、身障者行先呼び登録手段１２はエレベータ制御盤７で実行され、扉開閉手段１４は扉開閉装置４で実行される。
【００１１】
身障者用カゴ操作盤１１には、図３に示すように、エレベータの階床の数字が表面に印字されている押釦２１が設けられ、各押釦２１の横には点字２２が併設されている。視覚障害者は、点字２２を読んで所望の数字を探し、探した所望の数字の横の押釦２１を押す。押釦２１が押されるとエレベータ制御盤７に信号が送られる。
【００１２】
身障者行先呼び登録手段１２は、押釦２１から送られてきた信号から所望の階の階数を判別し、判別した階数を用いて通知文を作成する。通知文は、判別した階数が１階として説明すると、「１階の行先ボタンが押されました。よろしければ再度ボタンを押して下さい。」となる。この通知文をスピーカー１３からアナウンスする。
身障者行先呼び登録手段１２は、再度同じ押釦２１が押されたことを検知すると、行先階として呼び登録するとともに扉開閉装置４にその階での扉の開閉を身障者対応とするように指令する。
エレベータ制御盤７は、呼び登録された行先階にカゴ３を走行させる。
【００１３】
扉開閉手段１４は、身障者行先呼び登録された階に到着したカゴ３の扉の開閉を身障者対応するよう指令を受けているので、戸開閉動作を遅くして身障者が余裕を持って降車できるようにする。
【００１４】
この発明の実施の形態１に係るエレベータ呼び登録装置は、視覚障害者が身障者用カゴ操作盤１１から行先呼び登録を行うときに点字２２を手がかりに押釦２１を探すので間違った押釦２１を押す可能性もあるが、押された押釦２１がいずれの釦であったか音声によりアナウンスされるので、押した押釦２１を確認してから再度押すことにより間違いなく行先呼び登録をすることができる。
【００１５】
実施の形態２．
図４は、この発明の実施の形態２に係るエレベータ呼び登録装置のブロック図である。図５は、身障者用乗場操作盤の平面図である。
この発明の実施の形態２に係るエレベータ呼び登録装置は、図４に示すように、エレベータの各階床に備えられる身障者用乗場操作盤３１と、身障者用乗場操作盤３１の操作内容に従ってカゴ呼び登録を実行する身障者カゴ呼び登録手段３２と、身障者カゴ呼び登録手段３２から制御されるスピーカー３３と、身障者用乗場操作盤３１からカゴ呼び登録されたとき乗場の扉を開閉する扉開閉手段３４と、を備える。尚、身障者カゴ呼び登録手段３２はエレベータ制御盤７で実行され、扉開閉手段３４は扉開閉装置４で実行される。
【００１６】
身障者用乗場操作盤３１には、図５に示すように、上昇または下降の矢印が表面に印字されている押釦２１が設けられ、各押釦２１の横には点字２２が刻印されている。視覚障害者は、点字２２を読んで「うえ」または「した」を探し、探した点字２２の横の押釦２１を押す。押釦２１が押されるとエレベータ制御盤７に信号が送られる。
【００１７】
身障者カゴ呼び登録手段３２は、押釦２１から送られてきた信号からかご呼びが上昇または下降であるかを判別し、判別した上昇または下降を用いて通知文を作成する。通知文は、判別したカゴ呼びが下降として説明すると、「５階の下降ボタンが押されました。よろしければ再度ボタンを押して下さい。」となる。この通知文をスピーカー３３からアナウンスする。
身障者カゴ呼び登録手段３２は、再度同じ押釦２１が押されたことを検知すると、カゴ呼びが５階で有ったとしてカゴ呼び登録するとともに扉開閉装置４にその階での扉の開閉を身障者対応とするように指令する。
エレベータ制御盤７は、カゴ登録された行先階にカゴ３を走行させる。
【００１８】
扉開閉手段３４は、身障者カゴ呼び登録された階に到着したカゴ３の扉の開閉を身障者対応するよう指令を受けているので、戸開閉動作を遅くして身障者が余裕を持って乗車できるようにする。
【００１９】
この発明の実施の形態２に係るエレベータ呼び登録装置は、視覚障害者が身障者用乗場操作盤３１からカゴ呼び登録を行うときに点字２２を手がかりに押釦２１を探すので間違った押釦２１を押す可能性もあるが、押された押釦２１がいずれの釦であったか音声によりアナウンスされるので、押した押釦２１を確認してから再度押すことにより間違いなくカゴ呼び登録をすることができる。
【００２０】
実施の形態３．
図６は、この発明の実施の形態３に係るエレベータ呼び登録装置のブロック図である。
この発明の実施の形態３に係るエレベータ呼び登録装置は、この発明の実施の形態１に係るエレベータ呼び登録装置と身障者行先呼び登録手段１２Ｂおよび扉開閉手段１４が異なり、それ以外は同様であるので、同様な部分に同じ符号を付記し説明を省略する。
身障者行先呼び登録手段１２Ｂは、身障者用カゴ操作盤１１の押釦２１が押されている間の時間を計測する手段を有する。
また、身障者行先呼び登録手段１２Ｂは、身障者用カゴ操作盤１１の押釦２１から送られてきた信号から所望の階の階数を判別し、判別した階数を用いて通知文を作成する。通知文は、判別した階数が１階として説明すると、「１階の行先ボタンが押されました。よろしければ再度普通にボタンを押して下さい。お急ぎの方は長くボタンを押して下さい」となる。この通知文をスピーカー１３からアナウンスする。
【００２１】
また、身障者行先呼び登録手段１２Ｂは、再度同じ押釦２１が押されたことを検知すると、押釦２１が押されている間の時間を計測し、計測された時間が所定の時間以内のとき障害者行先呼び登録をするとともにともに扉開閉装置４にその階での扉の開閉を身障者対応とするように指令する。
一方、身障者行先呼び登録手段１２Ｂは、計測された時間が所定の時間を超えているとき健常者行先呼び登録をするとともにともに扉開閉装置４にその階での扉の開閉を健常者対応とするように指令する。
【００２２】
エレベータ制御盤７は、身障者行先呼び登録または健常者行先呼び登録された行先階にカゴ３を走行させる。
扉開閉手段１４Ｂは、身障者行先呼び登録された階に到着したカゴ３の扉の開閉を身障者対応するよう指令を受けているときには、戸開閉動作を遅くして身障者が余裕を持って降車できるようにし、健常者行先呼び登録された階に到着したカゴ３の扉の開閉を健常者対応するよう指令を受けているときには、戸開閉動作を普通にして健常者が遅いと感じることなく降車できるようにする。
【００２３】
この発明の実施の形態３に係るエレベータ呼び登録装置は、行先を確定するために２回目に押釦２１を押すとき長く押すことにより扉開閉が健常者対応に変えることができるので、エレベータの運行効率を上げることができる。
【符号の説明】
【００２４】
２  昇降路、３  カゴ、４  扉開閉装置、５  ロープ、６  巻上げ機、７  エレベータ制御盤、１１  身障者用カゴ操作盤、１２、１２Ｂ  行先呼び登録手段、１３  スピーカー、１４、１４Ｂ  扉開閉手段、２１  押釦、２２  点字、３１  身障者用乗場操作盤、３２  カゴ呼び登録手段、３３  スピーカー、３４  扉開閉手段。
【図１】
2011213442.tif 000003
【図２】
2011213442.tif 000004
【図３】
2011213442.tif 000005
【図４】
2011213442.tif 000006
【図５】
2011213442.tif 000007
【図６】
2011213442.tif 000008